(57)【要約】  【課題】  ボルト止め端子に被せる端子保護キャップの取り外しを容易にして、ワイヤハーネスのメンテナンスを容易にできるようにする。  【解決手段】  電線端末に接続されるボルト止め端子２０に取り付けられる端子保護キャップ１０であって、ボルト止め端子２０の電線接続部２３に外嵌する筒部１１と、該筒部１１の一端から突出させていると共にボルト止め端子２０のボルト孔２４を設けた電気接触部２５に開閉自在に被せる半球殻部１２とを備え、半球殻部１２の開口端面１３は被着部材の座面に密着するシール面とし、該シール面に近接する内周部に周方向リブ１４を突設し、該周方向リブ１４は半球殻部１２が上方より押された時に上記座面に圧接して外周の上記シール面を座面よりめくれるように浮かせて半球殻部１２を座面より取り外し易くする構成としている。  【選択図】図１
2005093163.tif 000002
【特許請求の範囲】
【請求項１】
電線端末に接続されるボルト止め端子に取り付けられる端子保護キャップであって、
上記ボルト止め端子の電線接続部に外嵌する筒部と、該筒部の一端から突出させていると共に上記ボルト止め端子のボルト孔を設けた電気接触部に開閉自在に被せる半球殻部とを備え、
上記半球殻部の開口端面は被着部材の座面に密着するシール面とし、該シール面に近接する内周部に周方向リブを突設し、該周方向リブは半球殻部が上方より押された時に上記座面に圧接して外周の上記シール面を座面よりめくれるように浮かせて半球殻部を座面より取り外し易くする構成としていることを特徴とする端子保護キャップ。
【請求項２】
上記周方向リブは全周に突設すると共に上記シール面側の下向きに傾斜させている請求項１に記載の端子保護キャップ。
【請求項３】
電線端末に接続されるボルト止め端子に取り付けられる端子保護キャップであって、
上記ボルト止め端子の電線接続部に外嵌する筒部と、該筒部の一端から突出させていると共に上記ボルト止め端子のボルト孔を設けた電気接触部に開閉自在に被せる半球殻部とを備え、
上記半球殻部の開口端面は被着部材の座面に密着するシール面とし、上記半球殻部の内周面よりシール面側に垂下する径方向リブを突設し、該径方向リブは半球殻部が上方より押された時に下端面が上記座面に圧接して外周の上記シール面を座面よりめくれるように浮かせて半球殻部を座面より取り外し易くする構成としていることを特徴とする端子保護キャップ。
【請求項４】
上記筒部の突出方向と直交する上記半球殻部の直径方向と両側に、上記周方向リブあるいは径方向リブの突設位置の外周面より外部押さえリブを突設し、該外部押さえリブを押圧することにより上記周方向リブあるいは径方向リブを上記座面に圧接させやすくしている請求項１乃至請求項３のいずれか１項に記載の端子保護キャップ。
【発明の詳細な説明】
【技術分野】
【０００１】
本発明は、端子保護キャップに関し、詳しくは、自動車に配索されるワイヤハーネスの電線端末に接続されたボルト止め端子に取り付けて、該ボルト止め端子の防水および保護を図るものである。
【背景技術】
【０００２】
従来、自動車に配索するワイヤハーネスＷ／Ｈの幹線Ｗ−１から分岐する支線Ｗ−２の端末に接続したボルト止め端子１の保護を図るため、図８に示すように、台座３や車体パネル等にボルト止めしたボルト止め端子１にゴム製あるいは塩化ビニル等の絶縁樹脂製の端子保護キャップ２を被せている。該端子保護キャップ２は、ボルト止め端子１の電線接続部１ａに外嵌する筒部２ａと、該筒部２ａの一端から突出してボルト止め端子１の電気接触部１ｂに被せる下面開口の半球殻部２ｂとからなる（特開２０００−２１５９２６号）。
【０００３】
上記ボルト止め端子１が被水領域であるエンジンルーム内に配置される場合には、ボルト止め端子の防水を図るため、端子保護キャップ２の開口端面をエンジンルームに搭載される電気接続箱等の被着部材の座面に密着させてシールしている。
【０００４】
上記ワイヤハーネスＷ／Ｈをメンテナンスする場合、端子保護キャップ２の半球殻部２ｂを被着部材よりめくってボルト止め端子１を露出させ、ボルト締めを解除してワイヤハーネスＷ／Ｈを取り外している。しかしながら、上記のように端子保護キャップ２の開口端面を被着部材の座面に密着させているものでは、密着させたシール面が外れにくく半球殻部２ｂがめくれにくい問題がある。
【特許文献１】特開２０００−２１５９２６号公報
【発明の開示】
【発明が解決しようとする課題】
【０００５】
本発明は上記問題に鑑みてなされたものであり、ボルト止め端子に被せる端子保護キャップの取り外しを容易にして、ワイヤハーネスのメンテナンスを容易にできるようにすることを課題としている。
【課題を解決するための手段】
【０００６】
上記課題を解決するため、本発明は第１に、電線端末に接続されるボルト止め端子に取り付けられる端子保護キャップであって、
上記ボルト止め端子の電線接続部に外嵌する筒部と、該筒部の一端から突出させていると共に上記ボルト止め端子のボルト孔を設けた電気接触部に開閉自在に被せる半球殻部とを備え、
上記半球殻部の開口端面は被着部材の座面に密着するシール面とし、該シール面に近接する内周部に周方向リブを突設し、該周方向リブは半球殻部が上方より押された時に上記座面に圧接して外周の上記シール面を座面よりめくれるように浮かせて半球殻部を座面より取り外し易くする構成としていることを特徴とする端子保護キャップを提供している。
【０００７】
上記構成とすると、ボルト止め端子に被せた端子保護キャップの半球殻部を上方より押圧すると、半球殻部の内周部に突設した周方向リブが被着部材の座面に圧接して、外周のシール面が座面よりめくれるように浮き上がる。よって、半球殻部の開口端面と座面との間に密着性がなくなり半球殻部を容易に取り外すことができ、ワイヤハーネスのメンテナンスの作業性を向上させることができる。
【０００８】
上記周方向リブは全周に突設すると共に上記シール面側の下向きに傾斜させていることが好ましい。
上記構成とすると、半球殻部のどの位置を押圧しても、半球殻部の全周に周方向リブを設けているため、押圧した位置近傍の周方向リブが座面に圧接して、確実にシール面が座面よりめくれる。また、周方向リブをシール面側の下側に傾斜させているため、少しの押圧で確実に周方向リブを座面に圧接することができる。
【０００９】
また、本発明は第２に、電線端末に接続されるボルト止め端子に取り付けられる端子保護キャップであって、
上記ボルト止め端子の電線接続部に外嵌する筒部と、該筒部の一端から突出させていると共に上記ボルト止め端子のボルト孔を設けた電気接触部に開閉自在に被せる半球殻部とを備え、
上記半球殻部の開口端面は被着部材の座面に密着するシール面とし、上記半球殻部の内周面よりシール面側に垂下する径方向リブを突設し、該径方向リブは半球殻部が上方より押された時に下端面が上記座面に圧接して外周の上記シール面を座面よりめくれるように浮かせて半球殻部を座面より取り外し易くする構成としていることを特徴とする端子保護キャップを提供している。
【００１０】
上記構成とすると、ボルト止め端子に被せた端子保護キャップの半球殻部を上方より押圧すると、半球殻部の内周部に突設した径方向リブが被着部材の座面に圧接して、外周のシール面が座面よりめくれるように浮き上がる。よって、半球殻部の開口端面と座面との間に密着性がなくなり半球殻部を容易に取り外すことができ、ワイヤハーネスのメンテナンスの作業性を向上させることができる。
【００１１】
上記筒部の突出方向と直交する上記半球殻部の直径方向と両側に、上記周方向リブあるいは径方向リブの突設位置の外周面より外部押さえリブを突設し、該外部押さえリブを押圧することにより上記周方向リブあるいは径方向リブを上記座面に圧接させやすくしていることが好ましい。
上記構成とすると、外部押さえリブは周方向リブあるいは径方向リブの突設位置の外周面より突設しているため、外部押さえリブを押圧すると該外部押さえリブの下方位置にある周方向リブあるいは径方向リブを確実に下方へ押し下げて座面に圧接することができ、シール面を座面からより容易に浮き上がらせることができる。
【発明の効果】
【００１２】
以上の説明より明らかなように、本発明によれば、ボルト止め端子に被せた端子保護キャップの半球殻部を上方より押圧すると、半球殻部の内周部に突設した周方向リブあるいは径方向リブが被着部材の座面に圧接して、外周のシール面が座面よりめくれるように浮き上がる。よって、半球殻部の開口端面と座面との間に密着性がなくなり半球殻部を容易に取り外すことができ、ワイヤハーネスのメンテナンスの作業性を向上させることができる。
【００１３】
上記周方向リブは全周に突設すると共に上記シール面側の下向きに傾斜させると、半球殻部のどの位置を押圧しても、半球殻部の全周に周方向リブを設けているため、押圧した位置近傍の周方向リブが座面に圧接して確実にシール面が座面よりめくれ、周方向リブをシール面側の下側に傾斜させているため、少しの押圧で確実に周方向リブを座面に圧接することができる。
【００１４】
さらに、上記周方向リブあるいは径方向リブの突設位置の外周面より外部押さえリブを突設すると、外部押さえリブを押圧すると該外部押さえリブの下方位置にある周方向リブあるいは径方向リブを確実に下方へ押し下げて座面に圧接することができ、シール面を座面からより容易に浮き上がらせることができる。
【発明を実施するための最良の形態】
【００１５】
本発明の実施形態を図面を参照して説明する。
図１乃至図４は、本発明の第１実施形態を示し、端子保護キャップ１０は可撓性を有する絶縁樹脂により成形され、図１（Ａ）に示すように、ボルト止め端子２０の電線接続部２３に外嵌する筒部１１と、該筒部１１の一端から突出させてボルト止め端子２０の電気接触部２５に開閉自在に被せる半球殻部１２とからなる。半球殻部１２の開口端面１３はエンジンルームに搭載された電気接続箱（被着部材）３０の座面３０ａに密着するシール面とし、該シール面に近接する内周部に半球殻部１２の内周面より水平方向に突出する周方向リブ１４を全周に亙って突設している。周方向リブ１４の突出量Ｌ１は、半球殻部１２の開口端面１３から周方向リブ１４の下面１４ａまでの長さＬ２よりも小としている。
【００１６】
上記端子保護キャップ１０を取り付けるボルト止め端子２０は、一端に絶縁被覆圧着バレル２１と芯線圧着バレル２２からなる電線接続部２３を備え、他端にボルト孔２４を設けた丸形状の電気接触部２５を備えている。電線接続部２３は自動車に配索するワイヤハーネスＷ／Ｈの幹線Ｗ−１から分岐する支線Ｗ−２の端末に圧着している。
【００１７】
端子保護キャップ１０の取り付けは、先ず、支線Ｗ−２の端末に取り付けたボルト止め端子２０の電線接続部２３に端子保護キャップ１０の筒部１１を外嵌し、半球殻部１２をめくった状態で、電気接続箱３０に突設したボルトＢを電気接触部２５のボルト孔２４に通してボルト・ナット締め固定し、最後に図３に示すように、半球殻部１２を電気接触部２５に被せて開口端面１３を電気接続箱３０の座面３０ａに密着させてシールしている。
【００１８】
ワイヤハーネスＷ／Ｈをメンテナンスする際に、ボルト止めしたボルト止め端子２０を電気接続箱３０から取り外す必要がある場合には、図４に示すように、端子保護キャップ１０の半球殻部１２の周方向リブ１４の突設位置近傍の外周面を上方から押圧すると、周方向リブ１４の内周側の端面が電気接続箱３０の座面３０ａに圧接して開口端面１３がめくれるように浮き上がり、電気接続箱３０の座面３０ａと開口端面１３との間に隙間Ｓが形成される。これにより、電気接続箱３０の座面３０ａと半球殻部１２の開口端面１３との間に密着性がなくなり、半球殻部１２を容易に電気接続箱３０より取り外してボルト止め端子２０を外しワイヤハーネスＷ／Ｈのメンテナンスを行うことができる。
【００１９】
上記構成とすると、ボルト止め端子２０に被せた端子保護キャップ１０の半球殻部１２を上方より押圧すると、半球殻部１２の内周部に突設した周方向リブ１４が電気接続箱３０の座面３０ａに圧接して、外周のシール面が座面よりめくれるように浮き上がる。よって、半球殻部１２の開口端面１３と座面との間に密着性がなくなり半球殻部１２を容易に取り外すことができ、ワイヤハーネスＷ／Ｈのメンテナンスの作業性を向上させることができる。
【００２０】
図５は、第１実施形態の変形例を示し、周方向リブ１４をシール面側の下向きに傾斜させると共に、筒部１１の突出方向と直交する半球殻部１２の直径方向の両側に、周方向リブ１４の突設位置の外周面より上向きの外部押さえリブ１５を突設している。図５（Ｂ）に示すように、該外部押さえリブ１５を押圧すると周方向リブ１４が電気接続箱３０の座面３０ａに圧接し開口端面１３がめくれるように浮き上がり、電気接続箱３０の座面３０ａと開口端面１３との間に隙間Ｓが形成され、電気接続箱３０の座面３０ａと半球殻部１２の開口端面１３との間に密着性がなくなり、半球殻部１２を容易に電気接続箱３０より取り外すことができる。
なお、他の構成及び作用効果は第１実施形態と同様のため、同一の符号を付して説明を省略する。
【００２１】
図６は、本発明の第２実施形態を示し、第１実施形態の周方向リブ１４に代えて半球殻部１２’の内周面よりシール面側に垂下する径方向リブ１６を突設し、筒部の突出方向と直交する半球殻部１２’の直径方向の両側に、径方向リブ１６の突設位置の外周面より上向きの外部押さえリブ１５’を突設している。該外部押さえリブ１５’を上方より押圧すると径方向リブ１６の下端面が電気接続箱３０の座面３０ａに圧接し開口端面１３’がめくれるように浮き上がり、半球殻部１２を容易に電気接続箱３０より取り外すことができる。
なお、他の構成及び作用効果は第１実施形態と同様のため、同一の符号を付して説明を省略する。
また、図７に示す変形例のように、径方向リブ１６及び外部押さえリブ１５’は、筒部１１’の突出方向と直交する半球殻部１２’の直径方向の両側に設けずいずれか一方にのみ設ける構成としてもよい。
【図面の簡単な説明】
【００２２】
【図１】本発明の第１実施形態の端子保護キャップを示し、（Ａ）は平面図、（Ｂ）はＡ−Ａ線断面図、（Ｃ）はＢ−Ｂ線断面図である。
【図２】ワイヤハーネスの支線端末にボルト止め端子を接続した状態を示す図面である。
【図３】ボルト止め端子に端子保護キャップを取り付けた状態を示す図面である。
【図４】端子保護キャップの取り外し方法を示す断面図である。
【図５】（Ａ）は本発明の第２実施形態の端子保護キャップの断面図、（Ｂ）は該端子保護キャップの取り外し方法を示す断面図である。
【図６】本発明の第２実施形態の端子保護キャップの断面図である。
【図７】第２実施形態の変形例の端子保護キャップの断面図である。
【図８】従来例を示す図面である。
【符号の説明】
【００２３】
１０  端子保護キャップ
１１  筒部
１２  半球殻部
１３  開口端面
１４  周方向リブ
１５  外部押さえリブ
１６  径方向リブ
２０  ボルト止め端子
２３  電線接続部
２５  電気接触部
３０  電気接続箱
３０ａ  座面
Ｗ／Ｈ  ワイヤハーネス
Ｗ−１  幹線
Ｗ−２  支線
【図１】
2005093163.tif 000003
【図２】
2005093163.tif 000004
【図３】
2005093163.tif 000005
【図４】
2005093163.tif 000006
【図５】
2005093163.tif 000007
【図６】
2005093163.tif 000008
【図７】
2005093163.tif 000009
【図８】
2005093163.tif 000010